(57)【要約】【課題】  二部又はそれ以上の構造を有するスライドレールアセンブリを提供する。【解決手段】  本発明のスライドレールアセンブリは、第１のレール、第２のレール、取り付け部材、第３のレール、第４のレール及び同期部材を含む。第１のレールは解除部材を含む。第３のレールと第４のレールはそれぞれ取り付け部材の両側に連結される。同期部材は取り付け部材に配置される。第３のレールは第１のレールに対して可動であり、第２のレールは第４のレールに対して可動である。第２のレールが格納位置から一の方向に沿って移動されると、第２のレールは、同期部材を通じて取り付け部材と同期的移動できる。所定の位置に移動されると、同期部材は、第１のレールの解除部材に駆動されることにより、取り付け部材と第２のレールとの同期移動関係を解除することができる。【選択図】  図５
2020081838.tif 000002
【特許請求の範囲】
【請求項１】
解除部材を含む第１のレールと、
押圧部材を備える第２のレールと、
取り付け部材と、
前記取り付け部材の第１側及び第２側にそれぞれ連結される第３のレール及び第４のレールと、
前記取り付け部材に配置される同期部材と、
を含むスライドレールアセンブリであって、
前記第３のレールは前記第１のレールに対して長手方向に沿って可動であり、
前記第２のレールは前記第４のレールに対して長手方向に沿って可動であり、
前記第２のレールが格納位置から開く方向に沿って移動されると、前記第２のレールは前記押圧部材を介して前記同期部材に当接し、前記取り付け部材と前記第２のレールとが同期的移動されることができ、前記取り付け部材と前記第２のレールとが所定の位置に同期的移動されると、前記同期部材は、前記第１のレールの前記解除部材を介して前記押圧部材から離れ、前記取り付け部材と前記第２のレールとの同期移動関係を解除することを特徴とするスライドレールアセンブリ。
【請求項２】
前記同期部材はシャフト部材を介して前記取り付け部材に枢接され、前記同期部材は第１の接触部分と第２の接触部分とを有し、前記第１の接触部分は前記第２のレールの押圧部材に対応し、前記第２の接触部分は前記第１のレールの解除部材に対応し、前記取り付け部材は前記第１のレールに面する第１の開口部を有し、前記同期部材の第２の接触部分は前記第１の開口部を貫通し、前記同期部材に弾性力を提供するための第１の弾性部材をさらに含む、請求項１に記載のスライドレールアセンブリ。
【請求項３】
前記第１のレールがさらに係合部材を含み、前記取り付け部材に対して解除位置又は係合位置にある位置決め部材をさらに含み、前記取り付け部材と前記第２のレールとの間の同期移動関係が解除されると、前記取り付け部材が、前記位置決め部材が解除位置から係合位置に移動されることにより、前記第１のレールの係合部材と係合し、前記位置決め部材は前記取り付け部材に可動に取り付けられ、前記取り付け部材は前記第１のレールに面する第２の開口部を有し、前記位置決め部材は前記第２の開口部を部分的に貫通し、前記第１のレールの係合部材と係合し、前記位置決め部材に弾性力を提供するための第２の弾性部材をさらに含む、請求項１に記載のスライドレールアセンブリ。
【請求項４】
前記第２のレールは前記第１のレールと上下平行に配置され、前記取り付け部材は第１部分と第２部分とを含み、前記第４のレールは前記第１部分に固定的に連結され、且つ前記第３のレールは前記第２部分に固定的に連結される、請求項１に記載のスライドレールアセンブリ。
【請求項５】
前記取り付け部材はさらに第３部分を含み、且つ前記第１部分及び前記第２部分は前記第３部分と実質的に垂直に連結され、それぞれ異なる方向に伸長され、前記取り付け部材の第１側及び第２側は反対側である、請求項４に記載のスライドレールアセンブリ。
【請求項６】
前記第１のレールは、第１の壁、第２の壁及び前記第１の壁と前記第２の壁との間に連結された側壁とを含み、前記第１のレールの第１の壁、第２の壁及び側壁によって第１通路が定義され、且つ前記第３のレールは前記第１通路を通じて前記第１のレールに対して可動であり、前記第３のレールは、第１の壁、第２の壁及び前記第１の壁と前記第２の壁との間に連結された側壁とを含み、前記第３のレールの側壁は前記取り付け部材の第２部分に連結され、且つ前記第３のレールの第１の壁及び第２の壁は前記第１通路内に配置され、前記第３のレールは、第１の壁、第２の壁及び前記第１の壁と前記第２の壁との間に連結された側壁とを含み、前記第３のレールの側壁は前記取り付け部材の第２部分に連結され、且つ前記第３のレールの第１の壁及び第２の壁は前記第１通路内に配置され、前記第１のレールの第１の壁は第１のセグメント及び前記第１のセグメントに対して屈曲した第２のセグメントを有し、前記第１のレールの第２の壁は第３のセグメント及び前記第３のセグメントに対して屈曲した第４のセグメントを有する、請求項５に記載のスライドレールアセンブリ。
【請求項７】
前記第１のレールと前記第３のレールとの間に可動に取り付けられた第１のスライド促進装置をさらに備え、前記第１のスライド促進装置は複数のスライド促進部材を含み、前記複数のスライド促進部材は前記第１のレールと前記第３のレールの第１の壁と前記第１のレールと前記第３のレールの第２の壁とを支持するように設置される、請求項６に記載のスライドレールアセンブリ。
【請求項８】
前記第４のレールは、第１の壁、第２の壁及び前記第１の壁と前記第２の壁との間に連結された側壁とを含み、前記第４のレールの側壁は前記取り付け部材の第１部分に連結され、前記第４のレールの第１の壁、第２の壁及び側壁によって第２通路が定義され、且つ前記第２のレールは前記第２通路を通じて前記第４のレールに対して可動であり、前記第２のレールは、第１の壁、第２の壁及び前記第１の壁と前記第２の壁との間に連結された側壁とを含み、且つ前記第２のレールの第１の壁及び第２の壁は前記第２通路内に配置される、請求項７に記載のスライドレールアセンブリ。
【請求項９】
前記第４のレールと前記第２のレールとの間に可動に取り付けられた第２のスライド促進装置をさらに備え、前記第２のスライド促進装置は複数のスライド促進部材を含み、前記複数のスライド促進部材は、前記第２のレールと前記第４のレールの第１の壁と前記第２のレールと前記第４のレールの第２の壁とを支持するように設置される、請求項８に記載のスライドレールアセンブリ。
【請求項１０】
前記第４のレールの前部に隣接したブロックベースを備え、且つ前記第２のレールには第１のストッパー及び第２のストッパーが可動に取り付けられ、前記第２のレールが前記第４のレールに対して前記開く方向に沿って開く位置に移動されると、前記第１のストッパー及び前記第２のストッパーはそれぞれ、停止位置において前記ブロックベースの止め部の両側に止められ、前記第２のレールは前記開く方向または格納方向に沿って移動できなくなり、前記第１のストッパーは停止位置にない時、前記第２のレールは前記開く位置から前記格納方向に沿って所定の格納位置に移動され、前記第２のレールは、前記位置決め部材を前記係合位置から離れるように駆動し、前記位置決め部材と前記第１のレールの係合部材との係合を解除する、請求項３に記載のスライドレールアセンブリ。
【発明の詳細な説明】
【技術分野】
【０００１】
本発明はスライドレールアセンブリに関し、特には二部又は二部以上の構造を有するレールで構成されたスライドレールアセンブリに関する。
【背景技術】
【０００２】
一般に、所定の高さを有するラックまたはキャビネットの左右の両側には、上から下に配置された複数セットのスライドレールアセンブリがあり、各スライドレールアセンブリの可動レールは、通常は搭載物（例えば電子機器）または引き出しを搭載するために使用され、搭載物または引き出しは可動レールを介してラックまたはキャビネットから出し入れすることができる。
【先行技術文献】
【特許文献】
【０００３】
【特許文献１】米国特許第６２４４６７９号明細書
【特許文献２】米国特許第７４１３２６９号明細書
【発明の概要】
【発明が解決しようとする課題】
【０００４】
スライドレールアセンブリとラック（またはキャビネット）相互間の設置スペースを要するため、この特定のニーズを満たすには、既存の二部又は三部構造のスライドレールアセンブリとは異なる製品を開発することが必要である。
【０００５】
本発明は、取り付け部材を介して複数のスライドレールを互いに組み合わせ、二部又はそれ以上の構造を有するスライドレールアセンブリに関する。
【課題を解決するための手段】
【０００６】
本発明のスライドレールアセンブリは、第１のレール、第２のレール、取り付け部材、第３のレール、第４のレール及び同期部材を含む。第１のレールは解除部材を含む。第２のレールは押圧部材を備える。第３のレール及び第４のレールはそれぞれ取り付け部材の第１側及び第２側に連結される。同期部材は取り付け部材に配置される。第３のレールは第１のレールに対して長手方向に沿って可動であり、第２のレールは第４のレールに対して長手方向に沿って可動である。第２のレールが格納位置から開く方向に沿って移動されると、第２のレールは、押圧部材を介して同期部材に当接することにより、取り付け部材と第２のレールが同期的移動される。第２のレールと取り付け部材が所定の位置に移動されると、同期部材は、第１のレールの解除部材を介して押圧部材から離れ、取り付け部材と第２のレールとの同期移動関係を解除することができる。
【０００７】
同期部材はシャフト部材を介して取り付け部材に枢接される。同期部材は、第１の接触部分と第２の接触部分とを有し、第１の接触部分は、第２のレールの押圧部材に対応し、第２の接触部分は、第１のレールの解除部材に対応するように構成されている。
【０００８】
取り付け部材は第１のレールに面する第１の開口部を有し、同期部材の第２の接触部分は第１の開口部を貫通するように構成される。
【０００９】
本発明のスライドレールアセンブリは、同期部材に弾性力を提供するための第１の弾性部材をさらに含む。
【００１０】
本発明のスイドレールアセンブリの第１のレールはさらに係合部材を含む。本発明のスイドレールアセンブリは、取り付け部材に対して解除位置または係合位置にある位置決め部材をさらに含む。取り付け部材と第２のレールとの間の同期移動関係が解除されると、取り付け部材が、位置決め部材が解除位置から係合位置に移動されることにより、第１のレールの係合部材と係合するように構成されている。
【００１１】
位置決め部材は取り付け部材に可動に取り付けられる。取り付け部材は第１のレールに面する第２の開口部を有し、位置決め部材は第２の開口部を部分的に貫通し、第１のレールの係合部材と係合するように構成されている。
【００１２】
本発明のスライドレールアセンブリは、位置決め部材に弾性力を提供するための第２の弾性部材をさらに含む。
【００１３】
第２のレールは第１のレールと上下平行に配置される。
【００１４】
取り付け部材は第１部分と第２部分とを含み、第４のレールは第１部分に固定的に連結され、第３のレールは第２部分に固定的に連結される。
【００１５】
取り付け部材はさらに第３部分を含み、且つ第１部分と第２部分は第３部分と実質的に垂直に連結され、それぞれ異なる方向に伸長されている。
【００１６】
取り付け部材の第１側及び第２側は反対側である。
【００１７】
第１のレールは、第１の壁、第２の壁及び第１の壁と第２の壁との間に連結された側壁とを含み、第１のレールの第１の壁、第２の壁及び側壁によって第１通路が定義され、且つ第３のレールは第１通路を通じて第１のレールに対して可動である。
【００１８】
第３のレールは、第１の壁、第２の壁及び第１の壁と第２の壁との間に連結された側壁とを含み、第３のレールの側壁は取り付け部材の第２部分に連結され、且つ第３のレールの第１の壁と第２の壁は第１通路内に配置される。
【００１９】
本発明のスライドレールアセンブリは、第１のレールと第３のレールとの間に可動に取り付けられた第１のスライド促進装置をさらに備える。第１のスライド促進装置は複数のスライド促進部材を含む。複数のスライド促進部材は第１のレールと第３のレールの第１の壁と第１のレールと第３のレールの第２の壁とを支持するように設置される。
【００２０】
第１のレールの第１の壁は第１のセグメントと第１のセグメントに対して屈曲した第２のセグメントとを有し、第１のレールの第２の壁は第３のセグメントと第３のセグメントに対して屈曲した第４のセグメントとを有する。
【００２１】
第４のレールは、第１の壁、第２の壁及び第１の壁と第２の壁との間に連結された側壁とを含む。第４のレールの側壁は取り付け部材の第１部分に連結される。第４のレールの第１の壁、第２の壁及び側壁によって第２通路が定義され、且つ第２のレールは第２通路を通じて第４のレールに対して可動である。
【００２２】
第２のレールは、第１の壁、第２の壁及び第１の壁と前記第２の壁との間に連結された側壁とを含み、且つ第２のレールの第１の壁と第２の壁は第２通路内に配置される。
【００２３】
第４のレールと第２のレールとの間に可動に取り付けられた第２のスライド促進装置をさらに備え、第２のスライド促進装置は複数のスライド促進部材を含む。複数のスライド促進部材は第２のレールと第４のレールの第１の壁と第２のレールと第４のレールの前記第２の壁とを支持するように設置される。
【００２４】
第４のレールの前部に隣接したブロックベースを備え、且つ第２のレールに第１のストッパーと第２のストッパーは可動に取り付けられ、第２のレールが第４のレールに対して開く方向に沿って開く位置まで移動されると、第１のストッパーと第２のストッパーはそれぞれ、停止位置においてブロックベースの止め部の両側に止められ、第２のレールは開く方向、または格納方向に沿って移動されることができなくなる。
【００２５】
第１のストッパーは停止位置にない時、第２のレールは開く位置から格納方向に沿って所定の格納位置に移動され、第２のレールは、位置決め部材を係合位置から離れるように駆動し、位置決め部材と第１のレールの係合部材との係合を解除する。
【図面の簡単な説明】
【００２６】
【図１】図１は、本発明の一実施形態によるスライドレールアセンブリを示す図である。
【図２】図２は、本発明の一実施形態によるスライドレールアセンブリを示す断面図である。
【図３】図３は、本発明の一実施形態によるスライドレールアセンブリを示す分解図である。
【図４】図４は、図３の領域Ａの拡大図である。
【図５】図５は、本発明の一実施形態によるスライドレールアセンブリの格納状態を示す図である。
【図６】図６は、図５の領域Ａの拡大図である。
【図７】図７は、本発明の一実施形態に係る、スライドレールアセンブリの第１のレールに対して開く方向に沿って移動された第２のレール及び取り付け部材を示す図である。
【図８】図８は、図７の領域Ａの拡大図である。
【図９】図９は、本発明の一実施形態に係る、スライドレールアセンブリの取り付け部材が第１のレールに対して伸長位置にあり、且つ第２のレールが取り付部材に対して開く方向に沿って移動された状態を示す図である。
【図１０】図１０は、本発明の一実施形態に係る、スライドレールアセンブリの取り付け部材が第１のレールに対して伸長位置にあり、且つ第２のレールが取り付部材に対して開く方向に沿って続いて移動された状態を示す図である。
【図１１】図１１は、図１０の領域Ａの拡大図である。
【図１２】図１２は、本発明の一実施形態に係る、スライドレールアセンブリの取り付け部材が第１のレールに対して伸長位置にあり、且つ第２のレールが取り付部材に対して開く方向に沿ってさらに移動された状態を示す図である。
【図１３】図１３は、図１２の領域Ａの拡大図である。
【図１４】図１４は、本発明の一実施形態に係る、スライドレールアセンブリの取り付け部材が第１のレールに対して伸長位置にあり、且つ第２のレールが取り付部材に対して開く位置にあることを示す図である。
【図１５】図１５は、本発明の一実施形態に係る、スライドレールアセンブリ第２のレールが取り付け部材に対して格納方向に沿って移動された状態を示す図である。
【図１６】図１６は、本発明の一実施形態に係る、スライドレールアセンブリ第２のレールが取り付部材に対して格納方向に沿って続いて移動された状態を示す図である。
【図１７】図１７は、ラックに適用された本発明の一実施形態によるスライドレールアセンブリを示す図である。
【発明を実施するための形態】
【００２７】
図１及び図２に示すように、本発明の一実施形態によるスライドレールアセンブリ２０は、第１のレール２２、第２のレール２４、第３のレール２６、第４のレール２８、及び取り付け部材３０を備えている。
【００２８】
好ましくは、第２のレール２４と第１のレール２２との位置は段差のある上下平行になるように配置される。好ましくは、取り付け部材３０は第１部分３０ａと第２部分３０ｂとを含む。第４のレール２８と第３のレール２６は、それぞれ取り付け部材３０の第１部分３０ａと第２部分３０ｂに連結される。第３のレール２６は第１のレール２２に対して可動であり、第２のレール２４は第４のレール２８に対して可動である。好ましくは、取り付け部材３０は、第３部分３０ｃをさらに含む。第１部分３０ａと第２部分３０ｂは、第３部分３０ｃに対して実質的に垂直に連結され、それぞれ異なる方向に伸長されている。例えば、第１部分３０ａは第３部分３０ｃに対して上方に向けて所定の長さに伸長され、第２部分３０ｂは第３部分３０ｃに対して下方に向けて所定の長さに伸長されているため、第１部分３０ａと第２部分３０ｂとは上部と下部との位置関係である。
【００２９】
好ましくは、第１のレール２２は、第１の壁３２ａ、第２の壁３２ｂ、及び第１の壁３２ａと第２の壁３２ｂとの間に連結された側壁３４とを含み、第１の壁３２ａ、第２の壁３２ｂ、及び側壁３４によって第１通路３６が定義される。
【００３０】
第３のレール２６は、取り付け部材３０の第２部分３０ｂに連結されており、取り付け部材３０の第１側Ｌ１に位置されている。第３のレール２６は、第１通路３６を介して第１のレール２２に対して可動である。第３のレール２６は、第１の壁３８ａ、第２の壁３８ｂ、及び第１の壁３８ａと第２の壁３８ｂとの間に連結された側壁４０とを含む。側壁４０は取り付け部材３０の第２部分３０ｂに固定的に連結され、第３レール２６の第１の壁３８ａ及び第２の壁３８ｂは第１のレール２２の第１通路３６内に配置されている。また、スライドレールアセンブリ２０の高さ方向Ｈにおける第１のレール２２の側壁３４の寸法Ａ１は、スライドレールアセンブリ２０の高さ方向Ｈにおける第３レール２６の側壁４０の寸法Ａ１’よりも大きいである（図２に示すように）。したがって、スライドレールアセンブリ２０の第１のレール２２と第の３レール２６とが取り付け部材３０に対して格納状態にある時、第３のレール２６が第１のレール２２の第１通路３６の中に納まることができる。且つ第１のレール２２の側壁３４は第３のレール２６を覆うことができる。好ましくは、スライドレールアセンブリ２０は、第１のレール２２と第３のレール２６との間に可動に取り付けられた第１のスライド促進装置４２をさらに含む。第１のスライド促進装置４２は、例えば、第１スライド促進部材４２ａ及び第２スライド促進部材４２ｂのように複数のスライド促進部材を含む。第１スライド促進部材４２ａ及び第２スライド促進部材４２ｂは、ボールまたはローラなどに類似した物である。第１スライド促進部材４２ａは、第１のレール２２の第１の壁３２ａ及び第３のレール２６の第１の壁３８ａを支持するように設置され、第２スライド促進部材４２ｂは、第１のレール２２の第２の壁３２ｂ及び第３のレール２６の第２の壁３８ｂを支持するように設置される。好ましくは、第１のレール２２の第１の壁３２ａは、第１のセグメントＳ１と第１のセグメントＳ１に対して屈曲した第２のセグメントＳ２とを有し、且つ第１のレール２２の第２の壁３２ｂは第３のセグメントＳ３と第３のセグメントＳ３に対して屈曲した第４のセグメントＳ４とを有する。この構成により、第１のレール２２の構造強度または支持強度を高めることができる。具体的には、第１のレール２２の第１の壁３２ａの第２のセグメントＳ２は、第１のセグメントＳ１に対して第１のレール２２の側壁３４に向かって屈曲している。第１のレール２２の第２の壁３２ｂの第４のセグメントＳ４は、第３のセグメントＳ３に対して第１のレール２２の側壁３４に向かって屈曲している。すなわち、第１のレール２２の第２のセグメントＳ２及び第４のセグメントＳ４は、第１のレール２２の側壁３４の内側に対して屈曲している。なお、本発明の第１のレール２２の第１の壁３２ａの第２のセグメントＳ２及び／又は第１のレール２２の第２の壁３２ｂの第４のセグメントＳ４は省略可能である。すなわち、別の実施形態では、本発明の第１のレールの第１の壁は第１のセグメントのみを含み、第１のレールの第２の壁は第３のセグメントのみを含むことが可能である。なお、第１のセグメントと第３のセグメントは、側壁の両端からそれぞれ伸長することができる。
【００３１】
第４のレール２８は、取り付け部材３０の第１部分３０ａに連結されており、取り付け部材３０の第２側Ｌ２に配置されている。第１側Ｌ１と第２側Ｌ２とは互いに反対側である。第４のレール２８は、第１の壁４４ａ、第２の壁４４ｂ、及び第４のレール２８の第１の壁４４ａと第２の壁４４ｂとの間に連結された側壁４６とを含む。第４のレール２８の側壁４６は取り付け部材３０の第１部分３０ａに固定的に連結され、且つ第４のレール２８の第１の壁４４ａ、第２の壁４４ｂ、及び側壁４６によって第２通路４８が定義される。第２のレール２４は、第２通路４８を通じて第４のレール２８に対して可動である。
【００３２】
第２のレール２４は、第１の壁５０ａ、第２の壁５０ｂ、及び第２のレール２４の第１の壁５０ａと第２の壁５０ｂとの間に連結された側壁５２を含む。且つ第２のレール２４の第１の壁５０ａ及び第２の壁５０ｂは、第４のレール２８の第２通路４８内に配置されている。また、スライドレールアセンブリ２０の高さ方向Ｈにおける第２のレール２４の側壁５２の寸法Ａ２は、スライドレールアセンブリ２０の高さ方向Ｈにおける第４レール２８の側壁４６の寸法Ａ２’よりも小さいである（図２に示すように）。したがって、スライドレールアセンブリ２０の第２のレール２４と第４のレール２８とが取り付け部材３０に対して格納状態にある時、第２のレール２４が第４のレール２８の第２通路４８の中に納まることができる。第２のレール２４の第１の壁５０ａ、第２の壁５０ｂ、側壁５２及び第４のレール２８の側壁４６は共に閉鎖空間を形成する。好ましくは、スライドレールアセンブリ２０は、第４のレール２８と第２のレール２４との間に可動に取り付けられた第２のスライド促進装置５４をさらに含む。第２のスライド促進装置５４は、例えば、第１スライド促進部材５４ａ及び第２スライド促進部材５４ｂのように複数のスライド促進部材を含む。第１スライド促進部材５４ａ及び第２スライド促進部材５４ｂは、ボールまたはローラなどに類似した物である。第１スライド促進部材５４ａは、第２のレール２４の第１の壁５０ａと第４のレール２８の第１の壁４４ａとを支持するように設置され、第２スライド促進部材５４ｂは、第２のレール２４の第２の壁５０ｂと第４のレール２８の第２の壁４４ｂとを支持するように設置される。
【００３３】
図３〜図５に示すように、第３のレール２６及び第４のレール２８は、それぞれ取り付け部材３０の異なる側にある第２部分３０ｂ及び第１部分３０ａに固定的に連結される。取り付け部材３０、第３のレール２６及び第４のレール２８は一体と見なすことができる。そのうち、第３のレール２６と第１のレール２２とは、第１通路３６を介して互いに装着可能であり、第３のレール２６は、第１のレール２２に対して長手方向に沿って可動である。一方、第２のレール２４と第４のレール２８とは、第２通路４８を介して互いに装着可能であり、第２のレール２４は、第４のレール２８に対して長手方向に沿って可動である。
【００３４】
また、第１のレール２２は、前部２２ａと後部２２ｂとを有する。第１のレール２２は、解除部材５６と係合部材５８を含む（この部分は図４を参照することができる）。好ましくは、解除部材５６は第１のレール２２の第１の壁３２ａに配置される。ここで、解除部材５６は凸部によって例示されるが、これに限定されない。好ましくは、係合部材５８は、第１のレール２２の第１の壁３２ａに配置され、解除部材５６から互いに距離を置く。係合部材５８は、一例として向かい合った２つの壁により定義された空間（例えば、溝穴または凹部）である。
【００３５】
第２のレール２４は、押圧部材５９を備える。押圧部材５９は、例えば１つの凸部であるが、これに限定されない。押圧部材５９は、第２のレール２４と一体化されてもよい、または追加の構成要素として、第２のレール２４に固定的に連結されでもよい。第２のレール２４には、作業部５７が設けられることが好ましい。作業部５７は、例えば突起物である。作業部５７は、当接部位５７ａと当接部位５７ａから延長されたガイド部位５７ｂとを含む。ガイド部位５７ｂは、例えば斜面又は曲面である。
【００３６】
スライドレールアセンブリ２０は同期部材６０を含み、さらに位置決め部材６２を含むことは好ましい。同期部材６０と位置決め部材６２とは、取り付け部材３０に配置される。例えば、同期部材６０と位置決め部材６２とは、取り付け部材３０の第１部分３０ａの第２側に配置されている。好ましくは、第４のレール２８の側壁４６は、第１対応貫通孔６４と第２対応貫通孔６６とを備える。第１対応貫通孔６４と第２対応貫通孔６６との位置は、同期部材６０と位置決め部材６２の位置にそれぞれ対応する。好ましくは、取り付け部材３０は、第１のレール２２（例えば、第１の壁３２ａ）に面する第１の開口部６８と第２の開口部７０を有する。第１の開口部６８と第２の開口部７０の位置は、それぞれ同期部材６０と位置決め部材６２の位置に対応する。
【００３７】
同期部材６０は、シャフト部材７２を介して取り付け部材３０に枢接される。同期部材６０は、第１の接触部分６０ａと第２の接触部分６０ｂとを有し、第１の接触部分６０ａは、第２のレール２４の押圧部材５９に対応するように構成される。例えば、第１の接触部分６０ａと第２のレール２４の押圧機構５９とは互いに接触することができる。第２の接触部分６０ｂは第１の開口部６８を貫通し、第１のレール２２の第１壁３２ａの解除部材５６に対応するように構成される。例えば、第２の接触部分６０ｂと第１のレール２２の第１の壁３２ａとは互いに接触することができる。好ましくは、スライドレールアセンブリ２０は、同期部材６０に弾性力を提供するための第１の弾性部材７４をさらに含む。
【００３８】
位置決め部材６２は、取り付け部材３０に可動に取り付けられる。例えば、位置決め部材６２及び取り付け部材３０両者の中、一方は第１のガイド部材７６を有し、他方は第２のガイド部材７８を有する。第１のガイド部材７６と第２のガイド部材７８とは、突出部と長穴（または長溝）との組み合わせであり、突出部は長穴の一部を貫通する。好ましくは、位置決め部材６２は、第２の開口部７０を通して第１のレール２２の第１の壁３２ａの係合部材５８に対応する。好ましくは、スライドレールアセンブリ２０は、位置決め部材６２に弾性力を提供するための第２の弾性部材８０をさらに含む。
【００３９】
第２のレール２４は、前部２４ａと後部２４ｂとを有する。一方、第４のレール２８は前部２８ａと後部２８ｂとを有する。好ましくは、第４のレール２８の前部２８ａに隣接したブロックベース８２を備え、且つ第１のストッパー８４と第２のストッパー８６とは、第２のレール２４に可動に取り付けられる（例えば、枢接される）。好ましくは、第１の弾性部８８ａと第２の弾性部８８ｂとを有する弾性ベース８８をさらに備える。第１の弾性部８８ａ及び第２の弾性部８８ｂは、それぞれ第１のストッパー８４及び第２のストッパー８６に弾性力を与え、第１のストッパー８４及び第２のストッパー８６を所定の状態に維持させる。好ましくは、使用者が操作できる操作部９０がさらに設けられ、第１のストッパー８４が所定の状態にならないように操作されることができる。
【００４０】
図５に示すように、スライドレールアセンブリ２０は格納状態にある。好ましくは、第１のレール２２の後部２２ｂに隣接した少なくとも１つのブロック構造９２が配置されている。ブロック構造９２は、例えば凸部であるが、これに限定されない。前述少なくとも１つのブロック構造９２は、取り付け部材３０の後部の少なくとも１つの対応構造９４をブロックするように構成され、取り付け部材３０が第１のレール２２に対して後方に移動されることを阻止する。さらに、第２のレール２４は、押圧部材５９を介して同期部材６０の第１の接触部分６０ａに当接する（この部分は図６を参照することができる）。好ましくは、格納位置Ｒにあるとき、第２のレール２４の作業部５７の当接部位５７ａが位置決め部材６２に当接し、位置決め部材６２が解除位置Ｘ１にあり、第２の弾性部材８０は弾性力を蓄積する。さらに、第２のレール２４が第４のレール２８に対して格納位置Ｒにあるとき、第１のストッパー８４（または第２のストッパー８６）とブロックベース８２との間に１つの距離を有する。第１のストッパー８４と第２のストッパー８６はともに所定の状態、例えば停止位置Ｙ１にある。
【００４１】
図５〜図８に示すように、第２のレール２４が格納位置Ｒから前方に、例えば開く方向Ｄ１に沿って移動されると、第２のレール２４は押圧部材５９を通じて同期部材６０の第１の接触部分６０ａに当接し（図５または図６に示されるように）、取り付け部材３０が第２のレール２４と同期して移動されることができる。所定の位置まで移動されると、第１のレール２２の解除部材５６が同期部材６０の第２の接触部分６０ｂに接触することによって同期部材６０が１つの角度で偏り、同期部材６０の第１の接触部分６０ａが押圧部材５９から離され（図７または図８に示されるように）、取り付け部材３０と第２のレール２４との同期移動関係が解除される。なお、同期部材６０が１つの角度で偏ると、第１の弾性部材７４は弾性力を蓄積する。一方、解除位置Ｘ１にある位置決め部材６２が、第１のレール２２の係合部材５８とはまだ係合されない状態である（図７に示されるように）。
【００４２】
図９に示すように、取り付け部材３０と第２のレール２４との同期移動関係が解除されると、取り付け部材３０が位置決め部材６２が解除位置Ｘ１から係合位置Ｘ２に移動されることにより、第１のレール２２の係合部材５８と係合し、取り付け部材３０（及び第３のレール２６と第４のレール２８）が第１のレール２２に対して伸長位置Ｐ１に維持される。この時、取り付け部材３０の前部が第１のレール２２の前部２２ａを超えている。具体的には、第２のレール２４が取り付け部材３０に対して開く方向Ｄ１に移動されると、第２のレール２４の作業部５７の当接部位５７ａが位置決め部材６２に当接しなくなる。第２の弾性部材８０から解放された弾性力に答え、位置決め部材６２は解除位置Ｘ１から係合位置Ｘ２に移動され、第１のレール２２の係合部材５８と係合することができる。
【００４３】
図１０と図１１に示すように、取り付け部材３０（及び第３のレール２６と第４のレール２８）は伸長位置Ｐ１にある。この状態で、第２のレール２４が第４のレール２８に対して開く方向Ｄ１に沿って移動されると、第１のストッパー８４が第４のレール２８のブロックベース８２の止め部８２ａに接触する（図１１に示されるように）。
【００４４】
図１２と図１３に示すように、第２のレール２４が第４のレール２８に対して開く方向Ｄ１に沿って続いて移動されると、第１のストッパー８４とブロックベース８２の止め部８２ａとの間で１つの力が発生される。この力により、第１のストッパー８４が停止位置Ｙ１から未停止位置Ｙ２に１つの角度で偏ってブロックベース８２の止め部８２ａを乗り越えることができる。このとき、弾性ベース８８の第１の弾性部８８ａが弾性力を蓄積する（図１３に示すように）。
【００４５】
図１４に示すように、第２のレール２４が第４のレール２８に対して開く方向Ｄ１に沿って開く位置Ｐ２にさらに移動されると、既にブロックベース８２の止め部８２ａを乗り越えた第１のストッパー８４が、弾性ベース８８の第１の弾性部８８ａから解放された弾性力に答えて停止位置Ｙ１に戻ることができる。このとき、第１のストッパー８４と第２のストッパー８６はともに停止位置Ｙ１にあり、ブロックベース８２の止め部８２ａの両側にそれぞれ位置され、止め部８２ａによって止められる。これにより、第２レール２４は、第４レール２８に対して開く方向Ｄ１又は格納方向に沿って移動されることができなくなる。このとき、スライドレールアセンブリ２０は完全な伸長状態にある。好ましくは、使用者が操作部９０を介して第１のストッパー８４を駆動し、停止位置Ｙ１から未停止位置Ｙ２に切り換え（図１３を参照する）、第２のレール２４が開く位置Ｐ２から第４のレール２８に対して格納方向に沿って移動されることが可能である。
【００４６】
図１５と図１６に示すように、第２のレール２４は、第４のレール２８に対して格納方向Ｄ２に沿って所定の格納位置に移動されると、第２のレール２４が作業部５７のガイド部位５７ｂを介して位置決め部材６２を駆動し、位置決め部材６２が係合位置Ｘ２から解除位置Ｘ１に戻られ、第１のレール２２の係合部材５８と係合しなくなる。これにより、スライドレールアセンブリ２０が格納状態に再び戻るまで、第２のレール２４と取り付け部材３０が格納方向Ｄ２に沿って移動されることができる。第２のレール２４が格納位置Ｒに戻ると、第１の弾性部材７４が解放された弾性力に答え、同期部材６０が初期状態に戻る。（図５に示すように）
【００４７】
図１７に示すように、スライドレールアセンブリ２０はラック（ｒａｃｋ）に応用することができる。例えば、前述の第１のレール２２の前部２２ａと後部２２ｂは、それぞれブラケット装置９６を介してラックの第１ポスト９８ａと第２ポスト９８ｂに取り付けることができる（第１のレール２２の後部２２ｂのブラケット装置８４は視野角のために表示されていない）。ここで、第２のレール２４は、搭載物（例えば電子設備）または引き出しなどが取り付けられるように、複数の取り付け要素１００を備える。
【００４８】
本発明の実施形態のスライドレールアセンブリ２０が以下の特徴を有する：
１．スライドレールアセンブリ２０は、第１のレール２２、第２のレール２４、第３のレール２６、第４のレール２８及び取り付け部材３０を含む。第４のレール２８と第３レール２６とは、取り付け部材３０にそれぞれ連結（例えば固定的に連結）されている。取り付け部材３０は第３のレール２６及び第４のレール２８と一体化することができる。第３のレール２６は第１のレール２２に対して長手方向に沿って可動であり、第２のレール２４は第４のレール２８に対して長手方向に沿って可動である。
２．第２のレール２４が格納位置Ｒから開く方向Ｄ１に沿って移動されると、第２のレール２４は同期部材を介して取り付け部材３０と同期して移動されることができる。所定の位置に移動されると、第１のレール２２の解除部材５６が同期部材６０を駆動することにより、取り付け部材３０と第２のレール２４との同期移動関係が解除されることができる。
３．取り付け部材３０と第２のレール２４との同期移動関係が解除されると、取り付け部材３０は、位置決め部材６２を介して第１のレール２２の係合部材５８と係合することができる。これにより、取り付け部材３０（及び第３のレール２６と第４のレール２８）が第１のレール２２に対して伸長位置Ｐ１に維持される。第２のレール２４は取り付け部材３０に対して開く位置Ｐ２に続いて移動されることが可能である。
【００４９】
前述において本発明の実施形態を開示したが、これらは本発明を限定するものではなく、本発明によって保護される範囲は特許請求の範囲を基準とする。
【符号の説明】
【００５０】
２０  スライドレールアセンブリ
２２  第１のレール
２４  第２のレール
２６  第３のレール
２８  第４のレール
３０  取り付け部材
３６  第１通路
４２  第１のスライド促進装置
４２ａ  第１スライド促進部材
４２ｂ  第２スライド促進部材
４６  側壁
４８  第２通路
５６  解除部材
５７  作業部
５７ａ  当接部位
５７ｂ  ガイド部位
５８  係合部材
５９  押圧部材
６０  同期部材
６２  位置決め部材
６４  第１対応貫通孔
６６  第２対応貫通孔
６８  第１の開口部
７０  第２の開口部
７２  シャフト部材
７４  第１の弾性部材
７６  第１のガイド部材
７８  第２のガイド部材
８０  第２の弾性部材
８２  ブロックベース
８２ａ  止め部
８４  第１のストッパー  
８６  第２のストッパー
８８  弾性ベース
９０  操作部
９２  ブロック構造
９４  対応構造
９６  ブラケット装置
９８ａ  第１ポスト
９８ｂ  第２ポスト
１００  取り付け要素
Ｐ１  伸長位置
Ｐ２  開く位置
Ｄ１  開く方向
Ｄ２  格納方向
Ｈ  高さ方向
Ｒ  格納位置
Ｓ１  第１のセグメント
Ｓ２  第２のセグメント
Ｓ３  第３のセグメント
Ｓ４  第４のセグメント
Ｘ１  解除位置
Ｘ２  係合位置
Ｙ１  停止位置
Ｙ２  未停止位置
【図１】
2020081838.tif 000003
【図２】
2020081838.tif 000004
【図３】
2020081838.tif 000005
【図４】
2020081838.tif 000006
【図５】
2020081838.tif 000007
【図６】
2020081838.tif 000008
【図７】
2020081838.tif 000009
【図８】
2020081838.tif 000010
【図９】
2020081838.tif 000011
【図１０】
2020081838.tif 000012
【図１１】
2020081838.tif 000013
【図１２】
2020081838.tif 000014
【図１３】
2020081838.tif 000015
【図１４】
2020081838.tif 000016
【図１５】
2020081838.tif 000017
【図１６】
2020081838.tif 000018
【図１７】
2020081838.tif 000019
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
解除部材を含む第１のレールと、
押圧部材を備える第２のレールと、
取り付け部材と、
前記取り付け部材の第１側及び第２側にそれぞれ連結される第３のレール及び第４のレールと、
前記取り付け部材に配置される同期部材と、
を含むスライドレールアセンブリであって、
前記第３のレールは前記第１のレールに対して長手方向に沿って可動であり、
前記第２のレールは前記第４のレールに対して長手方向に沿って可動であり、
前記第２のレールが格納位置から開く方向に沿って移動されると、前記第２のレールは前記押圧部材を介して前記同期部材に当接し、前記取り付け部材と前記第２のレールとが同期的移動されることができ、前記取り付け部材と前記第２のレールとが所定の位置に同期的移動されると、前記同期部材は、前記第１のレールの前記解除部材を介して前記押圧部材から離れ、前記取り付け部材と前記第２のレールとの同期移動関係を解除し、
前記同期部材はシャフト部材を介して前記取り付け部材に枢接され、前記同期部材は第１の接触部分と第２の接触部分とを有し、前記第１の接触部分は前記第２のレールの押圧部材に対応し、前記第２の接触部分は前記第１のレールの解除部材に対応し、前記取り付け部材は前記第１のレールに面する第１の開口部を有し、前記同期部材の第２の接触部分は前記第１の開口部を貫通し、前記同期部材に弾性力を提供するための第１の弾性部材をさらに含むことを特徴とするスライドレールアセンブリ。
【請求項２】
解除部材を含む第１のレールと、
押圧部材を備える第２のレールと、
取り付け部材と、
前記取り付け部材の第１側及び第２側にそれぞれ連結される第３のレール及び第４のレールと、
前記取り付け部材に配置される同期部材と、
を含むスライドレールアセンブリであって、
前記第３のレールは前記第１のレールに対して長手方向に沿って可動であり、
前記第２のレールは前記第４のレールに対して長手方向に沿って可動であり、
前記第２のレールが格納位置から開く方向に沿って移動されると、前記第２のレールは前記押圧部材を介して前記同期部材に当接し、前記取り付け部材と前記第２のレールとが同期的移動されることができ、前記取り付け部材と前記第２のレールとが所定の位置に同期的移動されると、前記同期部材は、前記第１のレールの前記解除部材を介して前記押圧部材から離れ、前記取り付け部材と前記第２のレールとの同期移動関係を解除し、
前記第１のレールがさらに係合部材を含み、前記取り付け部材に対して解除位置又は係合位置にある位置決め部材をさらに含み、前記取り付け部材と前記第２のレールとの間の同期移動関係が解除されると、前記取り付け部材が、前記位置決め部材が解除位置から係合位置に移動されることにより、前記第１のレールの係合部材と係合し、前記位置決め部材は前記取り付け部材に可動に取り付けられ、前記取り付け部材は前記第１のレールに面する第２の開口部を有し、前記位置決め部材は前記第２の開口部を部分的に貫通し、前記第１のレールの係合部材と係合し、前記位置決め部材に弾性力を提供するための第２の弾性部材をさらに含むことを特徴とするスライドレールアセンブリ。
【請求項３】
前記第２のレールは前記第１のレールと上下平行に配置され、前記取り付け部材は第１部分と第２部分とを含み、前記第４のレールは前記第１部分に固定的に連結され、且つ前記第３のレールは前記第２部分に固定的に連結される、請求項１又は２に記載のスライドレールアセンブリ。
【請求項４】
前記取り付け部材はさらに第３部分を含み、且つ前記第１部分及び前記第２部分は前記第３部分と実質的に垂直に連結され、それぞれ異なる方向に伸長され、前記取り付け部材の第１側及び第２側は反対側である、請求項３に記載のスライドレールアセンブリ。
【請求項５】
前記第１のレールは、第１の壁、第２の壁及び前記第１の壁と前記第２の壁との間に連結された側壁とを含み、前記第１のレールの第１の壁、第２の壁及び側壁によって第１通路が定義され、且つ前記第３のレールは前記第１通路を通じて前記第１のレールに対して可動であり、前記第３のレールは、第１の壁、第２の壁及び前記第１の壁と前記第２の壁との間に連結された側壁とを含み、前記第３のレールの側壁は前記取り付け部材の第２部分に連結され、且つ前記第３のレールの第１の壁及び第２の壁は前記第１通路内に配置され、前記第３のレールは、第１の壁、第２の壁及び前記第１の壁と前記第２の壁との間に連結された側壁とを含み、前記第３のレールの側壁は前記取り付け部材の第２部分に連結され、且つ前記第３のレールの第１の壁及び第２の壁は前記第１通路内に配置され、前記第１のレールの第１の壁は第１のセグメント及び前記第１のセグメントに対して屈曲した第２のセグメントを有し、前記第１のレールの第２の壁は第３のセグメント及び前記第３のセグメントに対して屈曲した第４のセグメントを有する、請求項４に記載のスライドレールアセンブリ。
【請求項６】
前記第１のレールと前記第３のレールとの間に可動に取り付けられた第１のスライド促進装置をさらに備え、前記第１のスライド促進装置は複数のスライド促進部材を含み、前記複数のスライド促進部材は前記第１のレールと前記第３のレールの第１の壁と前記第１のレールと前記第３のレールの第２の壁とを支持するように設置される、請求項５に記載のスライドレールアセンブリ。
【請求項７】
前記第４のレールは、第１の壁、第２の壁及び前記第１の壁と前記第２の壁との間に連結された側壁とを含み、前記第４のレールの側壁は前記取り付け部材の第１部分に連結され、前記第４のレールの第１の壁、第２の壁及び側壁によって第２通路が定義され、且つ前記第２のレールは前記第２通路を通じて前記第４のレールに対して可動であり、前記第２のレールは、第１の壁、第２の壁及び前記第１の壁と前記第２の壁との間に連結された側壁とを含み、且つ前記第２のレールの第１の壁及び第２の壁は前記第２通路内に配置される、請求項６に記載のスライドレールアセンブリ。
【請求項８】
前記第４のレールと前記第２のレールとの間に可動に取り付けられた第２のスライド促進装置をさらに備え、前記第２のスライド促進装置は複数のスライド促進部材を含み、前記複数のスライド促進部材は、前記第２のレールと前記第４のレールの第１の壁と前記第２のレールと前記第４のレールの第２の壁とを支持するように設置される、請求項７に記載のスライドレールアセンブリ。
【請求項９】
前記第４のレールの前部に隣接したブロックベースを備え、且つ前記第２のレールには第１のストッパー及び第２のストッパーが可動に取り付けられ、前記第２のレールが前記第４のレールに対して前記開く方向に沿って開く位置に移動されると、前記第１のストッパー及び前記第２のストッパーはそれぞれ、停止位置において前記ブロックベースの止め部の両側に止められ、前記第２のレールは前記開く方向または格納方向に沿って移動できなくなり、前記第１のストッパーは停止位置にない時、前記第２のレールは前記開く位置から前記格納方向に沿って所定の格納位置に移動され、前記第２のレールは、前記位置決め部材を前記係合位置から離れるように駆動し、前記位置決め部材と前記第１のレールの係合部材との係合を解除する、請求項２に記載のスライドレールアセンブリ。